(57)【特許請求の範囲】
【請求項１】
表示項目を優先的に表示するための条件を規定した１以上の表示優先情報に基づいて、優先的に表示する前記表示項目である優先表示項目を抽出し、抽出した前記優先表示項目に続いて指定された順序により標準表示項目を配置した表示画面を生成する表示情報決定部と、
前記表示画面を表示する表示部と、
前記表示情報決定部による前記優先表示項目の抽出処理に用いる情報を取得する情報取得部と、を備え、
前記表示情報決定部は、前記情報取得部が取得できなかった情報に関する前記表示項目を前記標準表示項目よりも優先して前記表示画面上に配置することを特徴とする、携帯端末。
【請求項２】
前記表示優先情報には、表示順序に関する優先順位が規定されていることを特徴とする請求項１に記載の携帯端末。
【請求項３】
ユーザからの入力に応じて前記表示優先情報を設定する表示優先情報設定部をさらに備えることを特徴とする請求項１または請求項２に記載の携帯端末。
【請求項４】
前記表示優先情報を格納する記憶部をさらに備えることを特徴とする請求項１乃至請求項３のいずれか１項に記載の携帯端末。
【請求項５】
表示項目を優先的に表示するための条件を規定した１以上の表示優先情報に基づいて、優先的に表示する前記表示項目である優先表示項目を抽出し、抽出した前記優先表示項目に続いて指定された順序により標準表示項目を配置した表示画面を生成する表示情報決定ステップと、
前記表示情報決定ステップによる前記優先表示項目の抽出処理に用いる情報を取得する情報取得ステップと、
前記表示画面を表示する表示ステップと、を備え、
前記表示情報決定ステップでは、前記情報取得ステップで取得できなかった情報に関する前記表示項目を前記標準表示項目よりも優先して前記表示画面上に配置することを特徴とする、画像表示方法。
【請求項６】
前記表示優先情報には、表示順序に関する優先順位が規定されていることを特徴とする請求項５に記載の画像表示方法。
【請求項７】
請求項５または請求項６に記載の画像表示方法を、コンピュータに実行させるためのプログラム。
【発明の詳細な説明】
【技術分野】
【０００１】
本発明は携帯端末、画面表示方法、及び表示画面生成プログラムに関する。
【背景技術】
【０００２】
近年の携帯電話、ＰＨＳ（Personal Handy phone System）、ＰＤＡ（Personal Digital Assistant）をはじめとする携帯端末は多くの情報を処理して表示する。携帯端末のユーザは、携帯端末の状態、携帯端末上で動くアプリケーションの状態等を表示画面から確認する。
【０００３】
特許文献１には、装置の動作状態を容易に把握することができる携帯端末装置にかかる技術が開示されている。当該携帯端末装置は、当該装置が備える機能の状態を確認する状態確認手段と、当該手段による確認結果を画面表示部に一覧表示する一覧表示手段と、を備える。これにより、当該携帯端末装置は、各機能の状態を画面上から容易に把握することができる。
【先行技術文献】
【特許文献】
【０００４】
【特許文献１】国際公開第２００９／０５１０４８号公報
【発明の概要】
【発明が解決しようとする課題】
【０００５】
しかしながら、特許文献１に記載の携帯端末装置では以下の問題が生じる。特許文献１に記載の携帯端末装置では、各機能の状態にかかる表示項目と、日常的に確認したいその他の表示項目と、に関する表示順序についての記載がない。そのため、当該携帯端末では各機能の状態にかかる表示項目が全て優先的に表示されてしまう。または、当該携帯端末では各機能の状態にかかる表示項目が全て優先的に表示されず、画面の最後に列挙されてしまう。
【０００６】
当該問題を、図１２を用いて説明する。図１２は、特許文献１にかかる携帯端末装置の画面表示例を示す図である。当該携帯端末装置では、各機能の状態にかかる表示項目が全て上段に表示される。たとえば、「電池残量」項目、「メモリカード」項目等が画面上部に表示される。そして、日常的に確認したいその他の表示項目が当該項目に続いて表示される。たとえば、「メール」項目は、「電池残量」項目の後段に表示される。
【０００７】
図１２に示すように、電池の残量が十分である場合には、一般にユーザはメール等の利用頻度の高い項目を優先して参照したい。しかし、当該携帯端末装置では、各機能の状態を考慮せずにこれらの項目を優先して一覧表示してしまうため、ユーザの視認性が悪い。
【０００８】
本発明はこの問題点を解決するためになされたものであり、ユーザが確認したい項目を優先的に表示させる携帯端末を提供することを主たる目的とする。
【課題を解決するための手段】
【０００９】
本発明にかかる携帯端末の一態様は、表示項目を優先的に表示するための条件を規定した１以上の表示優先情報に基づいて、優先的に表示する前記表示項目である優先表示項目を抽出し、抽出した前記優先表示項目に続いて指定された順序により標準表示項目を配置した表示画面を生成する表示情報決定部と、前記表示画面を表示する表示部と、を備えるものである。
【００１０】
本発明にかかる画面表示方法の一態様は、表示項目を優先的に表示するための条件を規定した１以上の表示優先情報に基づいて、優先的に表示する前記表示項目である優先表示項目を抽出し、抽出した前記優先表示項目に続いて指定された順序により標準表示項目を配置した表示画面を生成する表示情報決定ステップと、前記表示画面を表示する表示ステップと、を備えるものである。
【００１１】
本発明にかかる画面表示プログラムの一態様は、携帯端末に表示する画像を生成するため処理をコンピュータに実行させるためのプログラムであって、前記処理は、表示項目を優先的に表示するための条件を規定した１以上の表示優先情報に基づいて、優先的に表示する前記表示項目である優先表示項目を抽出し、抽出した前記優先表示項目に続いて指定された順序により標準表示項目を配置した表示画面を生成する表示情報決定ステップを備えるものである。
【発明の効果】
【００１２】
本発明によれば、ユーザが確認したい項目を優先的に表示させる携帯端末を提供することができる。
【図面の簡単な説明】
【００１３】
【図１】実施の形態１にかかる携帯端末を含む通信システムの構成を示すブロック図である。
【図２】実施の形態１にかかる携帯端末において、優先的に表示される表示項目に関する情報を設定するための画面を示す図である。
【図３】実施の形態１にかかる携帯端末において、表示項目順序の設定を行う画面を示す図である。
【図４】実施の形態１にかかる携帯端末の表示画面の図である。
【図５】実施の形態１にかかる携帯端末の表示画面の図である。
【図６】実施の形態１にかかる携帯端末の処理を示すフローチャートである。
【図７】実施の形態２にかかる携帯端末の表示画面の図である。
【図８】実施の形態２にかかる携帯端末の表示画面の図である。
【図９】実施の形態２にかかる携帯端末の処理を示すフローチャートである。
【図１０】実施の形態２にかかる携帯端末の処理を示すフローチャートである。
【図１１】実施の形態１にかかる携帯端末の構成を示すブロック図である。
【図１２】特許文献１にかかる携帯端末の表示画面の図である。
【発明を実施するための形態】
【００１４】
＜実施の形態１＞
以下、図面を参照して本発明の実施の形態について説明する。まず、図１を用いて本発明の実施の形態１にかかる携帯端末を含む通信システムの構成について説明する。当該通信システムは携帯端末１０と、サーバ２０と、を備える。携帯端末１０及びサーバ２０は、公衆無線通信網３０及びインターネット４０を介して相互に通信を行う。なお、携帯端末１０及びサーバ２０は、インターネット、公衆網、専用線、移動体通信網等の任意の通信網を介して通信可能であればよい。
【００１５】
携帯端末１０は、ＣＰＵ１１と、入力部１２と、通信部１３と、記憶部１４と、表示部１５と、表示優先情報設定部１６と、標準表示順序設定部１７と、表示情報決定部１８と、情報収集部１９と、を備える。携帯端末１０は、例えば携帯電話、ＰＨＳ（Personal Handy phone System）、ＰＤＡ（Personal Digital Assistant）等が挙げられる。
【００１６】
ＣＰＵ１１は、制御プログラムに基づいて、このシステム内の各種処理を実行する中央制御装置である。例えば、ＣＰＵ１１は後述の記憶部１４に格納されているデータを用いた演算処理、制御処理を行う。
【００１７】
入力部１２は、ユーザが携帯端末１０に対して各種操作を行うために用いるものである。入力部１２は、携帯端末１０に備えられたボタン、キーボード、または携帯端末１０に着脱可能なマウス等である。
【００１８】
通信部１３は、サーバ２０との情報通信を行うために各種信号を送受信するための処理部である。通信部１３は、通信に必要な部材（たとえばアンテナ）を備える。
【００１９】
記憶部１４は、各種データを記憶する記憶部である。記憶部１４は、所謂メモリ装置であり、ＲＡＭ（Random Access Memory)、ＲＯＭ（Read Only Memory）等が該当する。記憶部１４には、記憶媒体（フレキシブルディスク、ハードディスク、磁気ディスク、光磁気ディスク、ＣＤ−ＲＯＭ、ＤＶＤ、ＲＯＭカートリッジ、バッテリバックアップ付きＲＡＭメモリカートリッジ、フラッシュメモリカートリッジ、不揮発性ＲＡＭカートリッジ）から読み出したプログラム、入力部１２から入力されたデータ、ＣＰＵ１１の処理結果等が格納される。
【００２０】
表示部１５は、ＬＣＤ（Liquid Crystal Display）や有機ＥＬ（Electro Luminescence）素子等によって情報を視覚的に伝達するための処理部である。表示部１５には、後述の表示情報決定部１７が生成した表示情報が表示される。
【００２１】
表示優先情報設定部１６は、表示部１５に表示される表示画面において優先的に表示される表示項目に関する情報を設定する処理部である。具体的には、表示優先情報設定部１６は、図２に示すような設定画面を生成し、表示部１５に表示させる。
【００２２】
図２に示すように当該設定画面では、表示項目と、当該表示項目を優先的に表示するための条件と、にかかる情報（以下の記載では表示優先条件とも記載する。）が複数設定できる。図２では、１０個の表示優先条件が設定されている。例えば、携帯端末１０の電池の残量が１０％未満の状態になった場合、「電池残量」項目は表示画面上において優先的に表示される。また、電子メールの文面中に「緊急」というキーワードが含まれている場合、「メール」項目は表示画面上において優先的に表示される。なお以下の説明では、表示優先条件を満たした表示項目を優先表示項目とも記載する。
【００２３】
また、図２に示すように、表示優先条件には優先順位が指定されてもよい。優先順位が指定されることにより、複数の条件が満たされた場合にどの表示項目を優先して表示するかを指定できる。優先順位「１」の項目が最も表示にかかる優先順位が高く、優先順位「１０」の項目が最も表示にかかる優先順位が低い。たとえば、携帯端末１０の電池の残量が１０％未満であり、電子メールの文面中に「緊急」というキーワードが含まれている場合、「電池残量」項目が「メール」項目に優先して表示される。
【００２４】
ユーザは、入力部１２を操作することにより、表示優先条件を適宜追加、削除することができる。ユーザの入力部１２の操作により表示優先条件の設定が終了した場合、表示優先情報設定部１６は設定内容を記憶部１４に書き込む。
【００２５】
なお、表示優先条件は必ずしも表示優先情報設定部１６を介して設定される必要はなく、予め初期値として設定されていてもよい。
【００２６】
標準表示順序設定部１７は、表示優先条件を満たした表示項目（優先表示項目）に続いて表示する表示項目（以下の記載では標準表示項目とも記載する。）の表示順序を設定するための処理部である。標準表示項目とは全ての表示項目の内、優先表示項目として抽出されなかった表示項目である。標準表示順序設定部１７は、図３に示すような設定画面を生成し、表示部１５に表示させる。
【００２７】
図３に示すように、当該設定画面では各表示項目に対して優先順位を指定できる。優先順位「１」の項目が最も表示にかかる優先順位が高く、優先順位「１７」の項目が最も表示にかかる優先順位が低い。たとえば、「メール」項目は優先表示項目がない場合に最も優先して表示される。
【００２８】
表示情報決定部１８は表示部１５に表示する表示画面情報を生成する処理部である。まず表示情報決定部１８は、表示優先条件に基づいて、優先的に表示する表示項目（優先表示項目）を抽出する。そして、表示情報決定部１８は抽出した優先表示項目を優先して表示するように表示画面情報内に配置する。続いて、表示情報決定部１８は標準順序設定部１７により設定された順序により標準表示項目を表示画面情報内に配置する。図４を用いて表示情報決定部１８が生成する表示画面の例を説明する。
【００２９】
以下の説明では、図２及び図３に示すように予め設定されているものとする。表示情報決定部１８は当該設定内容（図２、図３）を記憶部１４から読み出す。表示情報決定部１８は、表示優先条件に基づいて、条件判断に用いる情報を情報収集部１９から取得する。たとえば、表示情報決定部１８は、電池残量の状況、通話時間、通話料金等を取得する。次に表示情報決定部１８は、取得した情報を用いて各表示優先条件が満たされるか否かを判定する。表示情報決定部１８は条件を満たす表示項目を優先順位の順序により配置する。図４の例では、電池残量が８％であり、通話料金が５７７５円であったとする。この場合、表示情報決定部１８は「電池残量」項目及び「通話料金」項目が優先表示項目であるとして抽出する。そして、表示情報決定部１８は抽出した優先表示項目を優先して表示画面情報に配置する（図４の例では「＊」を付加した情報を表示する。）。
【００３０】
続いて、表示情報決定部１８は優先表示項目として抽出されなかった表示項目を標準表示順序設定部１７が設定した順序により配置する。すなわち、表示情報決定部１８は「電池残量」項目及び「通話料金」以外の項目を図３に設定された順序により表示画面情報に配置する。これにより、表示情報決定部１８は図４に示すような表示画面情報を生成する。そして、表示画面決定部１８は生成した表示画面情報を表示部１５に対して出力する。
【００３１】
なお、携帯端末１０は、表示優先条件を用いた表示画面の生成を行わないモードを備えてもよい。当該モードの切り替えは入力部１２を操作することにより適宜行うことができる。図５は、表示優先条件を用いた表示画面の生成を行わないモードにより生成した表示画面情報を示す図である。このモードの場合、表示情報決定部１８は標準表示順序設定部１７が設定した優先順位（例えば図３に示した優先順位）のみを用いて表示画面情報を生成する。
【００３２】
情報収集部１９は、表示情報決定部１８が表示優先条件の条件判断に用いる各種情報を収集する処理部である。たとえば、情報収集部１９は、携帯端末１０の電池残量情報、ＩＣカード装着情報、エコモード情報等を収集する。また、情報収集部１９は通信部１３を介してサーバ２０から情報を取得してもよい。たとえば情報収集部１９は、情報収集専用キーが長押しされた場合に情報収集処理を開始する。
【００３３】
サーバ２０は、携帯端末１０に関する各種情報を提供するサーバ装置である。サーバ２０は前述のように携帯端末１０と相互に通信することが可能である。サーバ２０は携帯端末１０から必要な情報に関する要求を受け付け、情報提供用のデータの生成処理を行い、生成された情報を携帯端末１０に送信する。
【００３４】
なお、上述の携帯端末１０の各処理部（表示優先情報設定部１６、標準表示順序設定部１７、表示情報決定部１８、情報収集部１９）の処理は任意のコンピュータ内で動作するプログラムとして実現できる。プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００３５】
次に本実施の形態にかかる携帯端末１０の処理の流れを図６のフローチャートを用いて説明する。携帯端末１０は、情報収集専用ボタンの操作があり（Ｓ１１：Ｙｅｓ）、ユーザサポート機能（すなわち上述の表示優先情報設定部１６、標準表示順序設定部１７、表示情報決定部１８、及び情報収集部１９の処理）が有効化されている場合（Ｓ１２：Ｙｅｓ）、以下の処理（Ｓ１３〜Ｓ１７）を行う。情報収集専用ボタンの操作がない場合（Ｓ１１：Ｎｏ）、またはユーザサポート機能が有効化されていない場合（Ｓ１２：Ｎｏ）、携帯端末１０はそのまま処理を終了する。
【００３６】
情報収集部１９は、全ての機能の利用状況に関する情報を収集する（Ｓ１３）。情報収集部１９は収集した情報を表示情報決定部１８に提供する。表示情報決定部１８は、予め設定された表示優先条件に基づいて、優先的に表示する表示項目（優先表示項目）を抽出する（Ｓ１４）。そして、表示情報決定部１８は優先表示項目が存在するか否かを判定する（Ｓ１５）。
【００３７】
優先表示項目が存在する場合（Ｓ１５：Ｙｅｓ）、表示情報決定部１８は優先表示項目を優先して表示するように表示画面情報内に配置し、続いて標準順序設定部１７により設定された順序により標準表示項目を表示画面情報内に配置する（Ｓ１６）。
【００３８】
一方、優先表示項目が存在しない場合（Ｓ１５：Ｎｏ）、表示情報決定部１８は標準順序設定部１７により設定された順序により全ての表示項目を表示画面情報内に配置する（Ｓ１７）。
【００３９】
続いて、本実施の形態にかかる携帯端末の効果について説明する。上記のように、本実施の形態にかかる携帯端末は、表示項目を優先的に表示するための条件を規定した表示優先情報に基づいて優先表示項目を抽出する。当該優先表示項目を優先的に表示することにより、ユーザは必要な情報を優先的に参照することができる。たとえば、電池残量が少ない場合にのみ、ユーザは当該電池残量情報を参照することができる。
【００４０】
また、当該携帯端末では、優先表示項目に続いてユーザが指定した順序により表示項目が配置される。これにより、ユーザは日常的に確認頻度の高い表示項目（たとえば、電子メール、ＴｏＤｏリスト等）を容易に確認することができる。すなわち、ユーザは当該携帯端末を用いることによりユーザが参照しなければならない情報、及び参照したい情報を容易に確認することができる。
【００４１】
＜実施の形態２＞
本発明の実施の形態２にかかる携帯端末は、情報収集時にエラーが発生した際に、当該エラーを表示画面に反映させる点を特徴とする。本実施の形態にかかる携帯端末について実施の形態１にかかる携帯端末と異なる部分を説明する。
【００４２】
本実施の形態にかかる携帯端末は図１に示した実施の形態１の携帯端末の構成と同一の処理部を持つ。情報収集部１９は、実施の形態１の機能に比べて、取得が出来なかった情報（エラー情報）を表示情報決定部１８に通知する機能を有する。また、表示情報決定部１８はエラー情報に関係する表示項目を標準表示項目よりも優先して表示する表示画面情報を生成する。
【００４３】
図７は、本実施の形態にかかる表示情報決定部１８が生成する表示画面の例を説明する。表示情報決定部１８は、実施の形態１と同様に、抽出した優先表示項目を優先的に認識できるように表示画面情報に配置する（図７の例では「＊」を付加した情報を表示する。）。本例では、表示情報決定部１８は「電池残量」項目及び「通話料金」項目を優先表示項目として優先的に配置している。
【００４４】
また、表示情報決定部１８は情報収集が失敗した情報にかかる表示項目を表示画面情報に配置する（図７の例では「×」を付加した情報を表示する。）。本例では、携帯端末１０の電波受信状態が圏外等により悪く、携帯端末１０が電話支払情報をサーバ２０から取得できなかった場合の例である。すなわち、表示情報決定部１８が「電話支払」項目を標準表示項目よりも優先して配置する例である。
【００４５】
表示情報決定部１８はこれらの項目に続いて、未配置となっている表示項目を標準表示順序設定部１７が設定した順序により配置する。
【００４６】
なお、携帯端末１０は、実施の形態１と同様に表示優先条件を用いた表示画面の生成を行わないモードを備えてもよい。この場合、表示情報決定部１８は情報収集が失敗した情報にかかる表示項目のみを優先して表示するように表示画面情報に配置し、続いて標準表示順序設定部１７が設定した優先順位（例えば図３に示した優先順位）に応じて表示項目を表示画面情報に配置する。
【００４７】
図８は、表示優先条件を用いた表示画面の生成を行わないモードにより生成した表示画面情報を示す図である。このモードの場合、表示情報決定部１８は情報収集が失敗した情報にかかる表示項目である「電話支払」項目を最も優先して表示する。続いて、表示情報決定部１８は、標準表示順序設定部１７が設定した優先順位（例えば図３に示した優先順位）を用いて表示項目を表示画面情報に配置する。
【００４８】
次に本実施の形態にかかる携帯端末の処理を図９及び図１０のフローチャートを用いて説明する。なお、図９及び図１０において図６と同一符号を付した処理は、実施の形態１における処理と同一である。
【００４９】
携帯端末１０は、情報収集専用ボタンの操作があり（Ｓ１１：Ｙｅｓ）、ユーザサポート機能（すなわち上述の表示優先情報設定部１６、標準表示順序設定部１７、表示情報決定部１８、及び情報収集部１９の処理）が有効化されている場合（Ｓ１２：Ｙｅｓ）、以下の処理（Ｓ１３〜Ｓ１７）を行う。情報収集専用ボタンの操作がない場合（Ｓ１１：Ｎｏ）、またはユーザサポート機能が有効化されていない場合（Ｓ１２：Ｎｏ）、携帯端末１０はそのまま処理を終了する。
【００５０】
情報収集部１９は、全ての機能の利用状況に関する情報を収集する（Ｓ１３）。情報収集部１９は収集した情報を表示情報決定部１８に提供する。また、情報収集部１９は、収集が失敗した情報についても表示情報決定部１８に通知する。表示情報決定部１８は、予め設定された表示優先条件に基づいて、優先的に表示する表示項目（優先表示項目）を抽出する（Ｓ１４）。
【００５１】
続いて、表示情報決定部１８は、情報収集部１９による全ての情報収集処理が成功したか否かを判定する（Ｓ２１）。全ての情報収集処理が成功した場合（Ｓ２１：Ｙｅｓ）、表示情報決定部１８は実施の形態１と同様の処理を行う（Ｓ１６、Ｓ１７）。
【００５２】
全ての情報収集処理が成功しなかった場合（Ｓ２１：Ｎｏ）、表示情報決定部１８は優先表示項目が存在するか否かを判定する（Ｓ２２）。
【００５３】
優先表示項目が存在する場合（Ｓ２２：Ｙｅｓ）、表示情報決定部１８は優先表示項目及び情報収集が失敗した情報にかかる表示項目を表示画面情報に優先的に配置する（Ｓ２３）。続いて、表示情報決定部１８は標準順序設定部１７により設定された順序により標準表示項目を表示画面情報内に配置する（Ｓ２３）。
【００５４】
一方、優先表示項目が存在する場合（Ｓ２２：Ｎｏ）、表示情報決定部１８は情報収集が失敗した情報にかかる表示項目を表示画面情報に優先的に配置する（Ｓ２４）。続いて、表示情報決定部１８は標準順序設定部１７により設定された順序により標準表示項目を表示画面情報内に配置する（Ｓ２４）。
【００５５】
続いて、本実施の形態にかかる携帯端末の効果について説明する。当該携帯端末は、取得できなかった情報にかかる表示項目を優先して表示できる。これにより、ユーザはどの情報を取得できなかったのかが瞬時に把握でき、視認性の高い表示画面を参照することが可能になる。
【００５６】
なお、本発明は上記実施の形態に限られたものではなく、趣旨を逸脱しない範囲で適宜変更することが可能である。本発明は、携帯電話、ＰＤＡ、ＰＨＳ等の情報通信端末のみならずデジタルカメラ等の携帯型撮像装置に応用することも可能である。
【００５７】
なお、本発明の実施の形態１にかかる携帯端末の最小構成を図１１に示す。当該携帯端末１０は、ＣＰＵ１１と、入力部１２（例えばボタン）と、通信部１３と、記憶部１４（いわゆるメモリ）と、表示部１５と、表示情報決定部１８と、を備える。
【００５８】
表示情報決定部１８は予め設定されている表示優先情報（表示項目を優先的に表示するための条件を規定した情報）に基づいて優先的に表示する優先表示項目を抽出する。そして、表示情報決定部１８は当該優先表示項目に続いて指定された順序により標準表示項目を配置した表示画面情報を生成して表示部１５に出力する。表示部１５は当該表示画面情報を表示する。
【００５９】
ユーザは表示された表示画面情報を参照することにより、ユーザが参照しなければならない情報、及び参照したい情報を容易に確認することができる。
【００６０】
上記実施形態の一部又は全部は、以下の付記のようにも記載されうるが、以下には限られない。
【００６１】
（付記１）
表示項目を優先的に表示するための条件を規定した１以上の表示優先情報に基づいて、優先的に表示する前記表示項目である優先表示項目を抽出し、抽出した前記優先表示項目に続いて指定された順序により標準表示項目を配置した表示画面を生成する表示情報決定部と、
前記表示画面を表示する表示部と、を備えた携帯端末。
【００６２】
（付記２）
前記表示優先情報には、表示順序に関する優先順位が規定されていることを特徴とする付記１に記載の携帯端末。
【００６３】
（付記３）
前記表示画面構成部による前記優先表示項目の抽出処理に用いる情報を取得する情報取得部をさらに備えることを特徴とする付記１または付記２に記載の携帯端末。
【００６４】
（付記４）
ユーザからの入力に応じて前記表示優先情報を設定する表示優先情報設定部をさらに備えることを特徴とする付記１乃至付記３のいずれか１項に記載の携帯端末。
【００６５】
（付記５）
前記表示情報決定部は、前記情報取得部が取得できなかった情報に関する前記表示項目を前記標準表示項目よりも優先して前記表示画面上に配置することを特徴とする付記１乃至付記４のいずれか１項に記載の携帯端末。
【００６６】
（付記６）
前記表示優先情報を格納する記憶部をさらに備えることを特徴とする付記１乃至付記５のいずれか１項に記載の携帯端末。
【００６７】
（付記７）
表示項目を優先的に表示するための条件を規定した１以上の表示優先情報に基づいて、優先的に表示する前記表示項目である優先表示項目を抽出し、抽出した前記優先表示項目に続いて指定された順序により標準表示項目を配置した表示画面を生成する表示情報決定ステップと、
前記表示画面を表示する表示ステップと、を備えた画像表示方法。
【００６８】
（付記８）
前記表示優先情報には、表示順序に関する優先順位が規定されていることを特徴とする付記７に記載の画像表示方法。
【００６９】
（付記９）
前記表示画面構成ステップにおける前記優先表示項目の抽出処理に用いる情報を取得する情報取得ステップをさらに備えることを特徴とする付記７または付記８に記載の画像表示方法。
【００７０】
（付記１０）
ユーザからの入力に応じて前記表示優先情報を設定する表示優先情報設定ステップをさらに備えることを特徴とする付記７乃至付記９のいずれか１項に記載の画像表示方法。
【００７１】
（付記１１）
前記表示情報決定ステップでは、前記情報取得ステップにおいて取得できなかった情報に関する前記表示項目を前記標準表示項目よりも優先して前記表示画面上に配置することを特徴とする付記７乃至付記１０のいずれか１項に記載の画像表示方法。
【００７２】
（付記１２）
携帯端末に表示する画像を生成するため処理をコンピュータに実行させるためのプログラムであって、
前記処理は、表示項目を優先的に表示するための条件を規定した１以上の表示優先情報に基づいて、優先的に表示する前記表示項目である優先表示項目を抽出し、抽出した前記優先表示項目に続いて指定された順序により標準表示項目を配置した表示画面を生成する表示情報決定ステップを備える表示画面生成プログラム。
【符号の説明】
【００７３】
１０  携帯端末
１１  ＣＰＵ
１２  入力部
１３  通信部
１４  記憶部
１５  表示部
１６  表示優先情報設定部
１７  標準表示順序設定部
１８  表示情報決定部
１９  情報収集部
２０  サーバ
３０  公衆無線通信網
４０  インターネット
【図１】
0005482473.tif 000002
【図２】
0005482473.tif 000003
【図３】
0005482473.tif 000004
【図４】
0005482473.tif 000005
【図５】
0005482473.tif 000006
【図６】
0005482473.tif 000007
【図７】
0005482473.tif 000008
【図８】
0005482473.tif 000009
【図９】
0005482473.tif 000010
【図１０】
0005482473.tif 000011
【図１１】
0005482473.tif 000012
【図１２】
0005482473.tif 000013